(57)【要約】【課題】ＵＥ（ユーザ装備）のような無線デバイスが通信するＷＬＡＮ（無線ローカルエリアネットワーク）のようなネットワークを選択する方法を提供すること。【解決手段】複数のネットワークからの一つのネットワークの選択を容易にするためのユーザ装備装置であって、該複数のネットワークは、異なる通信規格を使用する同じユーザ装備装置に準拠しており、該同じユーザ装備装置に通信を提供し、該ユーザ装備装置は、格納する電子格納素子と、複数のネットワーク識別子と、ネットワーク識別子カウントとを特徴として備える。該ネットワーク識別子は、可変長さであることと、該ユーザ装備装置によって通信するように選択されることを許可される特定のネットワークを識別することと、該ユーザ装備装置に関し、対応するネットワークが準拠する複数の異なる通信規格のうちの少なくとも一つの通信規格を識別することとが可能である。【選択図】図１
2008109658.tif 000002
【特許請求の範囲】
【請求項１】
複数のネットワークからの一つのネットワークの選択を容易にするためのユーザ装備装置であって、該複数のネットワークは、異なる通信規格を使用する同じユーザ装備装置に準拠しており、該同じユーザ装備装置に通信を提供し、該ユーザ装備装置は、
格納する電子格納素子と、
複数のネットワーク識別子であって、該ネットワーク識別子は、可変長さであることと、該ユーザ装備装置によって通信するように選択されることを許可される特定のネットワークを識別することと、該ユーザ装備装置に関し、対応するネットワークが準拠する複数の異なる通信規格のうちの少なくとも一つの通信規格を識別することとが可能である、複数のネットワーク識別子と、
該電子格納素子に格納されるネットワーク識別子カウントであって、該ネットワーク識別子カウントは、該ユーザ装備装置に関し、該電子格納素子に格納された該ネットワーク識別子の数を識別するように構成されており、一つのネットワーク識別子は、他のネットワーク識別子から両識別子間にある所定のデリミタによって分離されている、ネットワーク識別子カウントと
を特徴として備える、ユーザ装備装置。
【請求項２】
前記電子格納素子は、電子メモリを含む携帯可能な格納カードを備える、請求項１に記載のユーザ装備装置。
【請求項３】
前記電子格納素子は、恒久的なユーザ装備の電子メモリを備える、請求項１に記載のユーザ装備装置。
【請求項４】
前記ネットワーク識別子カウントは、前記ネットワーク識別子それぞれのファイル長さを識別する長さパラメータを備える、請求項１に記載のユーザ装備装置。
【請求項５】
前記特定のネットワークのリスティングを備える前記長さパラメータは、２バイト長さのものである、請求項４に記載のユーザ装備装置。
【請求項６】
前記デリミタは、十六進値のＦＦである、請求項１に記載のユーザ装備装置。
【請求項７】
前記ネットワーク識別子カウントは、いくつのネットワーク識別子が前記ネットワーク識別子リストに含まれるかを識別する量パラメータを備える、請求項１に記載のユーザ装備装置。
【請求項８】
前記ネットワーク識別子カウントは、複数の個別ネットワーク識別子カウントを備え、一つの個別ネットワーク識別子カウントは、前記ネットワーク識別子のそれぞれと関連している、請求項１に記載のユーザ装備装置。
【請求項９】
各個別ネットワーク識別子カウントは、前記ネットワーク識別子カウントが関連しているネットワーク識別子の長さを識別する、請求項８に記載のユーザ装備装置。
【請求項１０】
各個別ネットワーク識別子カウントは、１バイト長さのものである、請求項８に記載のユーザ装備装置。
【請求項１１】
前記特定のネットワーク識別子のリスティングの中の各ネットワーク識別子は、サービスセット識別子（ＳＳＩＤ）を備える、請求項１に記載のユーザ装備装置。
【請求項１２】
前記ネットワーク識別子のリスティングは、ユーザ制御された特定のネットワーク識別子リストを備える、請求項１に記載のユーザ装備装置。
【請求項１３】
前記ネットワーク識別子のリスティングは、オペレータ制御された特定のネットワーク識別子リストを備える、請求項１に記載のユーザ装備装置。
【請求項１４】
異なる通信規格に準拠する無線ローカルエリアネットワークを介して通信可能なユーザ装備デバイスにおいて、無線ローカルエリアネットワーク選択と相互作用することを容易にする方法であって、該方法は、
ＷＳＩＤのリストを形成する動作であって、各ＷＳＩＤは、該ユーザ装備装置によって選択されることが許可される無線ローカルエリアネットワーク（ＷＬＡＮ）を識別し、各ＷＳＩＤは、可変長さを有することと、複数の異なる通信規格のうちの少なくとも一つの通信規格に準拠するネットワークを識別することとが可能である、動作と、
該ユーザ装備装置によって使用されることが可能なＷＳＩＤのカウントを形成する動作と、
該ＷＳＩＤを格納する動作と、ユーザ装備の電子メモリに該ＷＳＩＤのカウントを格納して、該ＷＳＩＤが、該電子メモリ内で互いにデリミタによって分離されるようにする動作と
を特徴として包含する、方法。
【請求項１５】
前記ＷＳＩＤのカウントにアクセスすることによって、ＷＳＩＤを選択する動作をさらに包含する、請求項１４に記載の方法。
【請求項１６】
前記ＷＳＩＤのＷＬＡＮ識別子をコード化する動作をさらに包含する、請求項１５に記載の方法。
【発明の詳細な説明】
【技術分野】
【０００１】
本発明は、一般的に、ＵＥ（ユーザ装備）のような無線デバイスが通信するＷＬＡＮ（無線ローカルエリアネットワーク）のようなネットワークを選択する方法に関する。より具体的には、本発明は、デバイスが通信し得るネットワークのアイデンティティを無線デバイスの中に格納する装置、および関連方法に関する。
【０００２】
識別子に関連するデータは、無線デバイスにおいて、識別子の検索および識別を容易にする方法で、恒久的なメモリあるいは取り外し可能なメモリに格納される。データが、ＷＬＡＮにおいて動作可能なＵＥにインプリメントされたとき、そのデータは、技術規格番号ＴＳ２４．２３４［２］に準拠することが可能な方法で格納される。
【背景技術】
【０００３】
（発明の背景）
セルラ通信システムによる通信は、例えば、普及しており、一部のエリアにおいて、セルラ通信システムのユーザの数は、従来の有線通信システムのユーザの数に近づくか、あるいは超えている。
【０００４】
セルラ通信システムの世代が連続して、開発され、展開されてきた。さらに、セルラ通信システムの一部の特徴を共有する他のモバイル通信システムもまた、開発され、展開されてきている。無線ローカルエリアネットワーク（ＷＬＡＮ）は、少なくとも一部において、セルラ通信システムの動作と同様に動作するモバイル通信システムである。一部のＷＬＡＮは、ＩＥＥＥ８０２．１１ファミリの規格に概ね準拠して動作可能であるように構築されている。無線ローカルエリアネットワークは、セルラ通信システムによって包囲されるエリアよりも一般に狭いエリアを包囲する狭域エリアでのシステムとして、一般にインプリメントされる。
【０００５】
様々な規格の発布が、検討中であり、その他の規格の発布は、既存のセットの規格に追加されてきた。例えば、技術規格ＴＳ３３．１０２［１］７．４．０版は、Ｉ−ＷＬＡＮ（相互作用無線ローカルエリアネットワーク）選択に関する。無線デバイス、すなわち、ユーザ装備は、ときどき、２つ以上の無線ローカルエリアネットワークのカバーレッジエリアの包囲する位置に置かれる。ＵＥが通信することになるＷＬＡＮがある場合、そのＷＬＡＮのどれと通信するかの選択がなされなくてはならない。前述の技術規格は、ユーザ制御のＷＬＡＮの特定の識別子リスト（ＥＦ−ＵＷＳＩＤＬ）およびオペレータ制御のＷＬＡＮの特定の識別子リスト（ＥＦ−ＯＷＳＩＤＬ）を定義している。これらのリストは、例えば、（Ｕ）ＳＩＭまたはメモリでＵＥに格納されるファイルか、あるいは（Ｕ）ＳＩＭからＵＥメモリにコピーされるファイルを形成する。そして、ＵＥで格納されたこの１つまたは複数のリストの識別子は、選択処理の中で、アクセスされ、使用される。これらのファイルは、２つのフィールドを有し、その第一は、これらのファイルの全長を識別し、その第二は、バイナリとしてコード化されたＳＳＩＤ（サービスセット識別子）である。
【０００６】
ＳＳＩＤは、０バイトと３２バイトの間の長さのエレメントである。既存の技術規格の発布における潜在的な問題は、結果的に、現在のところ、いくつのＳＳＩＤが（Ｕ）ＳＩＭ上にコード化されたかを決定することができないことである。これは、ＳＳＩＤが、固定長さではなく、むしろ、０〜３２バイト長のいずれかであるという理由のためである。関連するＷＳＩＤリストを形成するデータにアクセスして、読み取るＵＥは、格納された情報を正しくデコードできない危険性をはらむ。
【０００７】
さらに、これもまたネットワーク選択に関連する技術仕様ＴＳ２４．２３４は、少なくとも１０個のＳＳＩＤが関連ＷＳＩＤリストに格納可能であることを要求する。しかしながら、１バイトのみが、長さを規定するために割り当てられる。その結果、そのファイルの中には、２５６バイトのみしか存在し得ない。ＳＳＩＤが全て３２バイト長である場合、ＴＳ２４．２３４仕様の要求に反して、８つのエントリのみが格納可能である。
【発明の開示】
【発明が解決しようとする課題】
【０００８】
したがって、適切な数のエントリが、リスト上に格納可能であるようにして、その一方で、ＵＥまたは他の無線デバイスが格納されたデータをデコードすることも可能にするために、ＷＳＩＤリストまたは他の特定の識別子リストを形成するデータをより良く格納するための方法が要求される。
【０００９】
無線通信システムにおけるネットワーク選択に関連するこの背景情報の観点から、本発明の著しい改善が進展した。
【課題を解決するための手段】
【００１０】
（詳細な説明）
本発明は、したがって、無線デバイスが通信するのに用いるＷＬＡＮのようなネットワークを選択する装置および関連方法を有利に提供する。
【００１１】
本発明の実施形態の動作を介して、無線デバイスが通信することを許可されるネットワークを識別する識別子を格納する方法が提供される。これらの識別子は、ＷＬＡＮ、あるいはＷｉＭａｘまたは他のタイプの無線ネットワークさえも識別し得る。
【００１２】
本発明の一局面において、識別子に関連するデータは、無線デバイス、例えば、（Ｕ）ＳＩＭ、Ｒ−ＵＩＭ、コンパクトフラッシュ（登録商標）、マイクロＳＤカード、メモリスティックなどで、恒久的なメモリまたは取り外し可能なメモリに格納される。データは、識別子の検索および識別を容易にする方法で、フォーマットされる。マルチＷＬＡＮシステムで動作可能なＵＥにインプリメントされるとき、データは、技術仕様ＴＳ２４．２３４［２］の要求を可能にする方法でフォーマットされる。
【００１３】
本発明の別の局面において、ＷＳＩＤリストを含むファイルは、ＳＩＭ（加入者識別モジュール）、ＵＳＩＭ（ＵＭＴＳ加入者識別モジュール）で、Ｒ−ＵＩＭ（再使用可能な識別モジュール）で、コンパクトフラッシュ（登録商標）カード、ＳＤ（セキュアデジタル）カード、恒久的なランダムアクセスメモリ（ＲＡＭ）、あるいは任意の他の適切な電子的または他のメモリ素子に形成される。無線デバイスが通信するネットワークの選択がなされるとき、メモリ素子で具現化されるＷＳＩＤ、あるいは他の特定のネットワーク識別子リストがアクセスされ、そのコンテンツがネットワーク選択に使用される。メモリカードリーダ、または他のアクセス機構（ａｃｃｅｓｓｏｒ）は、無線デバイスで具現化され、メモリ素子に格納されたリストにアクセスするために使用される。別の局面において、ＵＥは、上記取り外し可能なメモリモジュールからの情報全てをデバイスのメモリにコピーし得る。ユーザ制御のＷＬＡＮの特定の識別子リストまたはオペレータ制御のＷＬＡＮの特定の識別子リストの一方または双方が、メモリ素子で生成され、維持される。このリストは、無線デバイスが、例えば、複数の利用可能なネットワークのうちから通信するネットワークを選択すべきときに、必要に応じて、ネットワーク選択にアクセス可能である。
【００１４】
本発明の別の局面において、ＷＳＩＤリストを含むファイルは、そのデータの最初の２つのバイトを割り当てて、ＷＳＩＤリストまたはファイルの長さを識別する。ＷＳＩＤリストを含むファイルの第三および後続のバイトは、ＷＳＩＤまたは他の特定のネットワーク識別子を識別する。特定のネットワーク識別子の個別ネットワーク識別子は、「ＦＦ」値のデリミタのようなデリミタによって分離される。
【００１５】
本発明の別の代替の局面において、ＷＳＩＤリストを含むファイルは、リストをポピュレートするＷＳＩＤまたは他の特定のネットワーク識別子の数を識別するようにフォーマットされる。ＷＳＩＤリストを形成するファイルの第二および後続のバイトは、個別ＷＳＩＤまたは他の特定のネットワーク識別子の値からなる。特定のネットワーク識別子の個別特定のネットワーク識別子は、「ＦＦ」値のデリミタのようなデリミタによって分離される。
【００１６】
本発明の別の代替の局面において、ＷＳＩＤリストを含むファイルの第一のバイトは、そのリストに含まれるＷＳＩＤまたは他の特定のネットワーク識別子の数を識別するために使用される。ファイルのバイトの第二は、後続の関連ＷＳＩＤまたは他の特定のネットワーク識別子の長さを識別するために使用される。第一のバイトをポピュレートする数に対応する数の識別子長さと識別子とを一緒に集約して、連続的にペアリングすることで、ＷＳＩＤリストが形成される。すなわち、第一のバイトに引き続き、このファイルは、長さ、データペアとして、コード化されるように構造化される。各個別特定のネットワーク識別子は、０〜３２バイト長さのいずれかである。
【００１７】
本発明の別の代替の局面において、ＷＳＩＤ、または他の特定のネットワーク識別子リストを含むファイルが、長さ、データの形式でコード化されるように構造化される。連続的に、ＷＳＩＤ、または他の特定のネットワーク識別子、オブジェクトが規定される。各オブジェクトは、その第一のバイトとして、関連ＷＳＩＤまたは他の特定のネットワーク識別子の長さ、次いで、その特定のネットワーク識別子を含むように、フォーマットされる。再び、各オブジェクトの第一のバイトは、長さを識別し、各オブジェクトの後続のバイトは、データ、すなわち、識別子の値を識別する。
【００１８】
本発明の別の代替の局面において、ＷＳＩＤ、または他の特定のネットワーク識別子リストを含むファイルが、フォーマットされ、その結果、そのファイルのバイトの最初のペアが、そのファイルの長さを規定するようになる。そして、長さ−バイトは、リストに含まれている連続する特定のネットワーク識別子のそれぞれと関連する。
【００１９】
これによって、例えば、リストの長さ、またはリストに含まれる識別子の数を識別するインディシア識別子とともに、特定のネットワーク識別子リストを含むファイルが形成され、維持されることによって、たとえ、全ての特定のネットワーク識別子の長さが、最大バイト長さからなる場合であっても、適切な技術仕様の要求に合致する。
【００２０】
したがって、これらおよび他の局面において、ネットワーク選択を容易にする装置および関連方法が提供される。電子格納素子は、データの格納を可能にする。特定のネットワーク識別子のリスティングは、電子格納素子に格納される。各特定のネットワーク識別子は、選択されることを許可されたネットワークを識別する。リスティングインディシア識別子もまた、電子格納素子に格納される。リスティングインディシア識別子は、電子格納素子に格納された特定のネットワーク識別子のフォーマット形式を識別するように構成される。
【００２１】
本発明は、さらに、以下の手段を提供する。
【００２２】
（項目１）
複数のネットワークからの一つのネットワークの選択を容易にするためのユーザ装備装置であって、該複数のネットワークは、異なる通信規格を使用する同じユーザ装備装置に準拠しており、該同じユーザ装備装置に通信を提供し、該ユーザ装備装置は、
格納する電子格納素子と、
複数のネットワーク識別子であって、該ネットワーク識別子は、可変長さであることと、該ユーザ装備装置によって通信するように選択されることを許可される特定のネットワークを識別することと、該ユーザ装備装置に関し、対応するネットワークが準拠する複数の異なる通信規格のうちの少なくとも一つの通信規格を識別することとが可能である、複数のネットワーク識別子と、
該電子格納素子に格納されるネットワーク識別子カウントであって、該ネットワーク識別子カウントは、該ユーザ装備装置に関し、該電子格納素子に格納された該ネットワーク識別子の数を識別するように構成されており、一つのネットワーク識別子は、他のネットワーク識別子から両識別子間にある所定のデリミタによって分離されている、ネットワーク識別子カウントと
を特徴として備える、ユーザ装備装置。
【００２３】
（項目２）
上記電子格納素子は、電子メモリを含む携帯可能な格納カードを備える、項目１に記載のユーザ装備装置。
【００２４】
（項目３）
上記電子格納素子は、恒久的なユーザ装備の電子メモリを備える、項目１に記載のユーザ装備装置。
【００２５】
（項目４）
上記ネットワーク識別子カウントは、上記ネットワーク識別子それぞれのファイル長さを識別する長さパラメータを備える、項目１に記載のユーザ装備装置。
【００２６】
（項目５）
上記特定のネットワークのリスティングを備える上記長さパラメータは、２バイト長さのものである、項目４に記載のユーザ装備装置。
【００２７】
（項目６）
上記デリミタは、十六進値のＦＦである、項目１に記載のユーザ装備装置。
【００２８】
（項目７）
上記ネットワーク識別子カウントは、いくつのネットワーク識別子が上記ネットワーク識別子リストに含まれるかを識別する量パラメータを備える、項目１に記載のユーザ装備装置。
【００２９】
（項目８）
上記ネットワーク識別子カウントは、複数の個別ネットワーク識別子カウントを備え、一つの個別ネットワーク識別子カウントは、上記ネットワーク識別子のそれぞれと関連している、項目１に記載のユーザ装備装置。
【００３０】
（項目９）
各個別ネットワーク識別子カウントは、上記ネットワーク識別子カウントが関連しているネットワーク識別子の長さを識別する、項目８に記載のユーザ装備装置。
【００３１】
（項目１０）
各個別ネットワーク識別子カウントは、１バイト長さのものである、項目８に記載のユーザ装備装置。
【００３２】
（項目１１）
上記特定のネットワーク識別子のリスティングの中の各ネットワーク識別子は、サービスセット識別子（ＳＳＩＤ）を備える、項目１に記載のユーザ装備装置。
【００３３】
（項目１２）
上記ネットワーク識別子のリスティングは、ユーザ制御された特定のネットワーク識別子リストを備える、項目１に記載のユーザ装備装置。
【００３４】
（項目１３）
上記ネットワーク識別子のリスティングは、オペレータ制御された特定のネットワーク識別子リストを備える、項目１に記載のユーザ装備装置。
【００３５】
（項目１４）
異なる通信規格に準拠する無線ローカルエリアネットワークを介して通信可能なユーザ装備デバイスにおいて、無線ローカルエリアネットワーク選択と相互作用することを容易にする方法であって、該方法は、
ＷＳＩＤのリストを形成する動作であって、各ＷＳＩＤは、該ユーザ装備装置によって選択されることが許可される無線ローカルエリアネットワーク（ＷＬＡＮ）を識別し、各ＷＳＩＤは、可変長さを有することと、複数の異なる通信規格のうちの少なくとも一つの通信規格に準拠するネットワークを識別することとが可能である、動作と、
該ユーザ装備装置によって使用されることが可能なＷＳＩＤのカウントを形成する動作と、
該ＷＳＩＤを格納する動作と、ユーザ装備の電子メモリに該ＷＳＩＤのカウントを格納して、該ＷＳＩＤが、該電子メモリ内で互いにデリミタによって分離されるようにする動作と
を特徴として包含する、方法。
【００３６】
（項目１５）
上記ＷＳＩＤのカウントにアクセスすることによって、ＷＳＩＤを選択する動作をさらに包含する、項目１４に記載の方法。
【００３７】
（項目１６）
上記ＷＳＩＤのＷＬＡＮ識別子をコード化する動作をさらに包含する、項目１５に記載の方法。
【００３８】
（摘要）
無線デバイスによって、Ｉ−ＷＬＡＮまたは他のネットワークの選択を容易にする装置および関連方法。電子格納素子が提供される。この電子格納素子に、特定のネットワーク識別子のリスティングが格納される。そして、リスティングインディシア識別子もまた、この電子格納素子に格納される。リスティングインディシア識別子は、特定のネットワーク識別子のフォーマット形式を識別するように構成される。情報のフォーマット形式は、３ＧＰＰ  ＴＳ３１．１０２［１３］への準拠を可能にする。この仕様は、ＷＳＩＤリストに格納可能となるために、少なくとも１０個のＷＳＩＤエントリを要求する。
【発明を実施するための最良の形態】
【００３９】
したがって、ここで、図１を参照すると、全体的に１０で示される通信システムは、無線デバイスとの無線通信を提供する。これらの無線デバイスのうち、無線デバイス１２が、代表的なものである。例示的なインプリメンテーションにおいて、通信システムは、ＩＥＥＥ８０２．１１ファミリの規格に概ね準拠して動作可能であるパーツを含むが、無線ネットワーク１４−１、１４−２、１４−３は、Ｗｉｍａｘ、３ＧＰＰ２規格、ＢＲＡＮなどのような他の形式の無線ネットワークであり得る。そして、無線デバイス１２は、ときどき、ＵＥ（ユーザ装備）と称され得る。また、この例示的なインプリメンテーションにおいて、通信システムの他のパーツは、３ＧＰＰまたは３ＧＰＰ２に準拠するシステムのような新世代セルラ通信規格に従って動作可能である。この例示的なインプリメンテーションにおいて、無線デバイスは、２つ以上の通信規格、すなわち、ＩＥＥＥ８０２．１１規格とセルラシステム規格とに従って通信するように動作可能なマルチモードデバイスを形成する。以下の記載は、ＩＥＥＥ８０２．１１仕様ファミリとセルラ通信規格とに準拠するＵＥの動作に関して、例示的な動作を記載する。このようなインプリメンテーションは、当然、例示的なものである。そして、本発明の実施形態は、同様の方法で、他のタイプの無線通信システムにおいても、同様にインプリメント可能である。例えば、一つの代替の実施形態において、通信システムのパーツは、ＷｉＦｉ通信規格に従って動作可能である。このような代替のインプリメンテーションにおける本発明の実施形態の動作は、以下に記載される動作と同様である。
【００４０】
通信システムは、ここでは、複数のネットワークから形成されるネットワークインフラを含む。ネットワークのうちの一部は、無線ローカルエリアネットワーク動作規格、ここでは、例えば、ＩＥＥＥ８０２．１１（ｂ)動作規格に従って動作可能である。他のネットワークは、セルラ通信システム動作規格、ここでは、例えば、３ＧＰＰ動作規格に従って動作可能である。
【００４１】
図１の例示的な図において、４つの無線ローカルエリアネットワーク１４が示される。また、２つのセルラ通信システムネットワーク１６も示される。無線ローカルエリアネットワーク１４のうちの３つのネットワーク１４−１、１４−２、および１４−３は、ブロック１８内のエリアによって表される共通エリアを包囲するようにして展開される。無線ローカルエリアネットワーク１４−Ｎは、他のエリアを包囲するネットワークを代表する。
【００４２】
無線ローカルエリアネットワーク１４のそれぞれは、相互作用ユニット（ＩＷＵ）２２を含み、ＩＷＵ２２は、その関連無線ローカルエリアネットワークとセルラ通信システムネットワーク１６との間での相互作用を容易にする。図１に示される例示的なインプリメンテーションにおいて、ローカルエリアネットワーク１４−１は、ここでは、ＶＰＬＭＮ（訪問先公衆陸上モバイルネットワーク）として示されるセルラシステムネットワーク１６−１に直接接続されている。そして、無線ローカルエリアネットワーク１４−２は、ここでは、ＨＰＬＭＮ（国内公衆陸上モバイルネットワーク）として示されるセルラシステムネットワーク１６−２に直接接続されている。ネットワーク１６−１と１６−２とは、接続されている。ネットワーク１４とネットワーク１６との間の相互作用は、それぞれの無線ローカルエリアネットワークの相互作用ユニット２２の動作を介して提供される。
【００４３】
ＵＥは、トランシーバ回路網を含み、トランシーバ回路網は、ここでは送信（ＴＸ）パーツ２６および受信（ＲＸ）パーツ２８によって示される。トランシーバ回路網は、上述で示された動作プロトコル、あるいは他の通信規格仕様に従って従来の方法で動作可能である。
【００４４】
ユーザ装備１２が、図示されるように、カバーレッジエリア１８内に置かれたとき、無線ローカルエリアネットワーク１４−１、１４−２、および１４−３のうちの任意のネットワークと通信することが可能である。本発明の実施形態に従うと、無線デバイス１２は、本発明の実施形態である装置３２を含み、装置３２は、ユーザ装備が通信することになるネットワーク１４の選択を容易にする。
【００４５】
装置３２は、コントローラ３４およびメモリ素子３６を含む。コントローラ３４は、アクセス機構またはリーダとして動作する。このアクセス機構またはリーダは、ユーザ装備が通信することになるネットワークの選択に従って、メモリ素子３６に格納されたデータにアクセスして、読み取る。本発明の実施形態に準拠してフォーマットされた１つ以上のファイルは、メモリ素子３６で生成され、維持される。例示的なインプリメンテーションにおいて、ファイルは、ＴＳ３３．１０２［１］の７．４．０版で定義されたユーザ制御ＷＬＡＮの特定の識別子リスト（ＥＦＵＷＳＩＤＬ）、またはオペレータ制御のＷＬＡＮ特定の識別子リスト（ＥＦＯＷＳＩＤＬ）を含む。さらなるインプリメンテーションにおいて、メモリ素子は、双方のタイプのリストを形成するファイルを含む。ファイルは、ＴＳ３３．１０２による取り外し可能なメモリ上に格納され得るが、ＵＥは、全てのファイルをそのローカルメモリにコピーする。
【００４６】
ここでは、３８によって示されるファイルは、ＷＳＩＤリスト４２と、このリストと関連する１つ以上のリスティングインディシア識別子、またはこのリスト上のエントリを含む。ファイル３８が維持されるメモリ素子３６のメモリ位置は、ネットワーク選択手順に従って、コントローラによってアクセスされる。一つのインプリメンテーションにおいて、コントローラは、受信パーツ２８によって検出された利用可能なネットワークの表示をＷＳＩＤリスト４２上のエントリと比較し、両者間の比較に応答して、コントローラは、ネットワークのどれをユーザ装備が通信することになるかを選択する。ユーザ装備のトランシーバ回路網を適切に動作すると、選択されたネットワークによって通信を開始することが可能になる。例示的なインプリメンテーションにおいて、リスト４２は、ＩＥＥＥ８０２．１１で定義されたＳＳＩＤ（サービスセット識別子）の値から形成される。他のインプリメンテーションにおいて、他のタイプの特定のネットワーク識別子は、８０２．１６などで使用されるようなリスト４２をポピュレートする。ファイルをフォーマットすると、３ＧＰＰ技術仕様ＴＳ３１．１０２［１３］に示された要求を達成することが可能になる。
【００４７】
次いで、図２に移ると、本発明の第一の実施形態に従うメモリ素子３６で維持されるファイル３８のフォーマット形式が示される。このファイルは、識別子５２、構造５４、およびオプションフィールド５６と、続いて、ＳＦＩフィールド５８、記録サイズフィールド６２、および更新活動フィールド６４を含む。そして、更新活動フィールド６４に続いて、アクセス条件フィールド６６も、さらに含まれる。
【００４８】
このようなフィールドに、次いで、ＷＳＩＤリスト長さを識別する２バイトフィールド６８が続く。そして、ＷＳＩＤリスト７２は、フィールド６８に続く。個別ＷＳＩＤ値は、「ＦＦ」値のデリミタによって分離される。例示的なインプリメンテーションにおいて、ＷＳＩＤ値は、３ＧＰＰのＴＳ２３．０３８に準拠してコード化されたＳＳＩＤ１値またはＳＳＩＤ２から形成される。このようなコード化は、７ビットまたは８ビットであるか、あるいはＴＳ２３．０３８で識別されるような任意のタイプのコード化であり得る。結果として得られるファイルが、メモリ素子に格納されるとき、ユーザ装備は、そのメモリ素子からそのファイルを読み取ることが可能である。フィールド６８を形成する第一および第二のバイトは、ファイルの長さを示す。そして、第三から第Ｘ＋１のバイトは、ＴＳ２３．０３８によってコード化されたＷＳＩＤを含む。そして、既に述べたように、バイトの中のＦＦの発生は、そのＷＳＩＤの終了を示す。フィールド６８をポピュレートする長さは、ＷＳＩＤリスト７２のアクセスに従うコントローラによって使用される識別子インディシアを形成する。
【００４９】
図３は、本発明の別の実施形態のファイル３８を示す。図２に既に示されたフィールド５２〜６６が、図３のインプリメンテーションのファイル３８の一部を形成するように、再び描かれている。ここで、フィールド７４は、インディシア識別子を含むために利用される。インディシア識別子は、ＷＳＩＤリスト７２に含まれるＷＳＩＤの数を識別する。再び、例示的なインプリメンテーションにおいて、値「ＦＦ」のようなデリミタは、リストの個別ＷＳＩＤを分離する。ＷＳＩＤフィールドのエントリは、例えば、ゼロに設定されたビット数８を用いて、３ＧＰＰ技術仕様のＴＳ２３．０３８［５］で定義されるようなＳＭＳデフォルトの７ビットコード化アルファベット値として、コード化される。ストリングは、左に寄せられる。ここで、再び、ＷＳＩＤの値は、ＴＳ２３．０３８によってコード化されたＳＳＩＤ１コード値またはＳＳＩＤ２コード値である。
【００５０】
図４は、本発明の別の代替の実施形態に従うファイル３８を示す。ここでも、フィールド５２〜６６が、再び示される。この実施形態において、フィールド７４が、再び利用される。フィールド７４は、単一のバイト長であり、ＷＳＩＤリスト７２に含まれるＷＳＩＤの数を識別する値を用いてポピュレートされる。ここで、ＷＳＩＤリストは、長さ、データの形式で構造化される。すなわち、各ＷＳＩＤの前に、関連ＷＳＩＤの長さを識別するバイト７６がある。これによって、ファイルの中で、ＷＳＩＤの数とその長さのそれぞれとの双方が識別される。ＷＳＩＤ値のそれぞれに対して、例えば、バイト長さの観点で定義される長さが示されるので、デリミタは要求されない。ＷＳＩＤフィールドは、例えば、ゼロに設定されたビット数８を用いて、３ＧＰＰのＴＳ２３．０３８［５］で定義されるようなＳＭＳデフォルトの７ビットコード化アルファベットとして、コード化される。ストリングは、左に寄せられる。
【００５１】
図５は、別の代替のインプリメンテーションのファイル３８を示す。ファイルは、フィールド５２〜６６を再び含む。ここで、ＷＳＩＤフィールド７２は、連続的なＷＳＩＤオブジェクト７８を含んで、長さ、データとしてコード化される。再び、ＷＳＩＤフィールドは、例えば、ゼロに設定されたビット数８を用いて、３ＧＰＰのＴＳ２３．０３８［５］で定義されるようなＳＭＳデフォルトの７ビットコード化アルファベットとして、コード化される。ストリングは、左に寄せられる。使用されなかったバイトは、ＦＦの値に設定される。
【００５２】
図６は、本発明の別の代替の実施形態のファイル３８を示す。ここでも再び、ファイルは、フィールド５２〜６６を含む。このインプリメンテーションにおいて、最初の２バイトのフィールド６８は、ＷＳＩＤリストの長さを識別する。次いで、バイト７６が、リスト７２の関連ＷＳＩＤの長さを用いて、各関連ＷＳＩＤの前に置かれる。したがって、２バイトが、ファイルの長さを記述するために割り当てられ、ＷＳＩＤリストは、長さ、データとしてコード化されるように構造化される。ＷＳＩＤリストは、ゼロに設定されたビット数８を用いて、３ＧＰＰのＴＳ２３．０３８［５］で定義されるようなＳＭＳデフォルトの７ビットコード化アルファベットとして、コード化される。ストリングは、左に寄せられる。
【００５３】
インプリメンテーションのそれぞれにおいて、ＷＳＩＤは、３ＧＰＰのＴＳ２３．０３８に準拠してコード化されたＳＳＩＤを形成する。そして、ファイルと、そのファイルを形成し、規定するフィールドとは、ユーザ装備の取り外し可能なメモリまたは恒久的なメモリから形成されたメモリ素子で維持される。メモリ素子は、上述のように、ＳＩＭ、ＵＳＩＭ、Ｒ−ＵＩＭ、コンパクトフラッシュ（登録商標）メモリ、ＳＤカード、他のタイプの取り外し可能なメモリ、あるいはＲＡＭのような任意のタイプの恒久的なメモリのうちのいずれかであり得る。
【００５４】
以下の表は、（Ｕ／Ｉ）ＳＩＭ  ＥＦのボディである。
【００５５】
【表１】
2008109658.tif 000003
Ｎ：ＷＳＩＤの数
ＷＳＩＤヘッダ
【００５６】
【表２】
2008109658.tif 000004
ＷＳＩＤヘッダ
長さ１バイト：
【００５７】
【表３】
2008109658.tif 000005
Ｌｉ：ＷＳＩＤ  Ｉ−１のバイト長、ここでｉ＝１・・・Ｎである。Ｌｉは、０００００と１１１１１との間の値を有し得る。値０００００は、１バイト長のＷＳＩＤを示し、値１１１１１は、３２バイト長のＷＳＩＤを意味する。
ＥＢ：エキストラ２ビット：将来の使用のために予約され、例えば、ＷＳＩＤコード化に関する情報を格納するために使用される。
ＨＩ：さらなるヘッダインジケータ
【００５８】
【表４】
2008109658.tif 000006
−ＷＳＩＤ
コンテンツ：
−  ＴＳ２４．２３４［４０］で定義されるようなＷＬＡＮの特定の識別子（ＷＳＩＤ）
ビット７〜０を識別する以上の表は、単なる一例に過ぎず、フィールド（ＨＩ、ＥＢ、ＬＩ）においても、他のインプリメンテーションにおいても、任意の順序でコード化され得ることは、留意されるべきである。さらに、別の実施形態において、ビットの数は、ＷＳＩＤのコード化を示すように選択され得て、
ビットＸ  ビットＹ  キャラクタセット：
０        ０        ＧＳＭ７ビットデフォルトアルファベット
０        １        ８ビットデータ
１        ０        ＵＣＳ２（１６ビット）［１０］
である。
【００５９】
図７は、全体的に１０２で示され、本発明の実施形態の動作の方法の代表的な方法を示す。この方法は、無線デバイスでのネットワーク選択を容易にする。
【００６０】
最初に、ブロック１０４によって示されるように、特定のネットワーク識別子のリスティングが形成される。各特定のネットワーク識別子は、選択されることが可能なネットワークを識別する。次いで、ブロック１０６によって示されるように、リスティングインディシア識別子が形成される。識別子は、特定のネットワーク識別子のリスティングの特定のネットワーク識別子のフォーマット形式を識別する。そして、ブロック１０８によって示されるように、特定のネットワーク識別子のリスティングとリスティングインディシアとは、無線デバイスの電子メモリに格納される。
【００６１】
その後、ブロック１１２によって示されるように、格納された情報へのアクセスと解析とに応答して、ネットワークが選択される。
【００６２】
以上の記載は、本発明をインプリメントするための好ましい例からなる。本発明の範囲は、以下の請求項によって規定される。
【図面の簡単な説明】
【００６３】
【図１】図１は、本発明の実施形態が動作可能である複数のネットワーク通信システムの機能的なブロック図を示す。
【図２】図２は、本発明の実施形態に従って形成されたＷＳＩＤリストを含むファイルのフォーマットの図を示す。
【図３】図３は、図２に示される図と似ているが、ここでは、本発明の別の実施形態に従って形成されたＷＳＩＤリストを含むファイルのフォーマット形式の図を示す。
【図４】図４は、図２および図３に示される図と似ているが、ここでは、本発明の別の実施形態に従って形成されたＷＳＩＤリストを含むファイルの図を示す。
【図５】図５は、図２〜図４に示される図と似ているが、ここでは、本発明の別の実施形態の動作に従って形成されたＷＳＩＤリストを含むファイルの図を示す。
【図６】図６は、図２〜図５に示される図と似ているが、ここでは、本発明の別の実施形態に従って形成されたＷＳＩＤリストを含むファイルの図を示す。
【図７】図７は、本発明の実施形態の動作の方法を列挙する方法流れ図を示す。
【符号の説明】
【００６４】
１０  ネットワーク
１２  無線デバイス、ユーザ装備
１４−１、１４−２、１４−３、１４−Ｎ  無線ローカルエリアネットワーク
１６−１、１６−２  セルラシステムネットワーク
２６  送信（ＴＸ）パーツ
２８  受信（ＲＸ）パーツ
３２  装置
３４  コントローラ
３６  メモリ素子
３８  ファイル
４２  ＷＳＩＤリスト
５２  識別子
５４  構造
５６  オプションフィールド
５８  ＳＦＩフィールド
６２  記録サイズフィールド
６４  更新活動フィールド
６６  アクセス条件フィールド
６８  ２バイトフィールド
７２  ＷＳＩＤリスト
【図１】
2008109658.tif 000007
【図２】
2008109658.tif 000008
【図３】
2008109658.tif 000009
【図４】
2008109658.tif 000010
【図５】
2008109658.tif 000011
【図６】
2008109658.tif 000012
【図７】
2008109658.tif 000013